(57)【要約】【課題】  全てのカセットからチケットを取り出すことなく、指定されたチケットを抽出できるようにする。【解決手段】  保管箱から抽出すべきチケットの抽出情報を入力する入力部４５と、この入力部４５によって入力された抽出情報に対応する識別情報を有するチケットを保管した保管箱を記憶部４７において関連付けられたチケットのバーコード情報、カセット情報、及び保管箱のバーコード情報に基づいて特定する制御部４８とを具備する。【選択図】      図３
2007200149.tif 000002
【特許請求の範囲】
【請求項１】
識別情報を有する複数枚の紙葉類を搬送する搬送手段と、
この搬送手段によって搬送される紙葉類を鑑査する鑑査手段と、
この鑑査手段で鑑査された紙葉類の識別情報を読み取る読取手段と、
前記鑑査手段の鑑査結果に基づいて前記紙葉類を区分収納する複数のカセットと
を備えてなる紙葉類処理装置と、
前記複数のカセットから取り出される紙葉類を保管するもので、識別情報を有する複数の保管容器と、
この保管容器の識別情報を読み取る外部読取手段と、
前記読取手段で読み取られた前記紙葉類の識別情報、この識別情報が読み取られた紙葉類が収納されるカセットの情報、及び前記外部読取手段で読み取られた前記保管容器の識別情報を関連付けて記憶する記憶手段と、
前記保管容器から抽出すべき紙葉類の抽出情報を入力する入力手段と、
この入力手段によって入力された抽出情報に対応する識別情報を有する紙葉類を保管した保管容器を前記記憶手段の記憶情報に基づいて特定する特定手段と、
を具備することを特徴とする紙葉類処理システム。
【請求項２】
前記紙葉類の識別情報は、前記紙葉類に印刷されるバーコードであることを特徴とする請求項１記載の紙葉類処理システム。
【請求項３】
前記読取手段は、バーコードリーダであることを特徴とする請求項２記載の紙葉類処理システム。
【請求項４】
前記保管容器の識別情報は、前記保管容器に印刷されるバーコードであることを特徴とする請求項１記載の紙葉類処理システム。
【請求項５】
前記外部読取手段は、バーコードリーダであることを特徴とする請求項４記載の紙葉類処理システム。
【請求項６】
前記カセットは紙葉類を満杯に収納すると、前記紙葉類処理装置から取り出され、この取り出されたカセットと、該カセットから取り出された紙葉類を保管する保管容器とを前記記憶手段で関連付けて記憶することを特徴とする請求項１記載の紙葉類処理システム。
【請求項７】
前記カセットに識別情報を付与し、この識別情報を前記外部読取手段で読み取り、この識別情報が読み取られたカセットと、該カセットから取り出された紙葉類を保管する保管容器とを前記記憶手段で関連付けて記憶することを特徴とする請求項１記載の紙葉類処理システム。
【請求項８】
前記カセット内に前記紙葉類を任意の指定枚数で表裏反転させて収納することを特徴とする請求項１記載の請求項１記載の紙葉類処理システム。
【発明の詳細な説明】
【技術分野】
【０００１】
本発明は、例えば、カジノにおけるスロットマシンなどで使用されたチケットを処理する紙葉類処理システムに関する。
【背景技術】
【０００２】
カジノにおけるスロットマシンなどで使用されたチケットは、スロットマシンから回収されて紙葉類整理機で処理されるようになっている。即ち、チケットは、紙葉類整理機の鑑査部で鑑別、計数されたのち、バーコードリーダでチケットのバーコードが認識され、鑑査部の鑑別結果に基づいて複数の集積部に区分集積されるようになっている。
【０００３】
複数の集積部は、一時集積部と、この一時集積部に集積されたチケットを収納するカセットとによって構成されている。カセットが満杯になると、紙葉類整理機から取り出されてオペレータによってカセット内のチケットが抜き取られる。この抜き取られたチケットは保管箱に保管されるようになっている（例えば、特許文献１参照。）。
【０００４】
ところで、上記した保管箱に保管されたチケットの中には、例えば、不正使用されたものなどが混入されていることがある。この不正チケットを確認するため、保管箱からチケットを抜き出して紙葉類整理機で再処理することにより、不正チケットを抽出するようにしている。
【特許文献１】特開２００４−２４０７７８号公報（第５頁、図１）
【発明の開示】
【発明が解決しようとする課題】
【０００５】
しかしながら、従来、チケットを抽出する場合には、全てのカセットからチケットを取り出して、紙葉類整理機で再処理していたため、非常に手間取るものとなっていた。
【０００６】
本発明は上記事情に着目してなされたもので、その目的とするところは、全てのカセットから紙葉類を取り出すことなく、指定された紙葉類を抽出できるようにした紙葉類処理システムを提供することにある。
【課題を解決するための手段】
【０００７】
上記課題を解決するため、請求項１記載のものは、識別情報を有する複数枚の紙葉類を搬送する搬送手段と、この搬送手段によって搬送される紙葉類を鑑査する鑑査手段と、この鑑査手段で鑑査された紙葉類の識別情報を読み取る読取手段と、前記鑑査手段の鑑査結果に基づいて前記紙葉類を区分収納する複数のカセットとを備えてなる紙葉類処理装置と、前記複数のカセットから取り出される紙葉類を保管するもので、識別情報を有する複数の保管容器と、この保管容器の識別情報を読み取る外部読取手段と、前記読取手段で読み取られた前記紙葉類の識別情報、この識別情報が読み取られた紙葉類が収納されるカセットの情報、及び前記外部読取手段で読み取られた前記保管容器の識別情報を関連付けて記憶する記憶手段と、前記保管容器から抽出すべき紙葉類の抽出情報を入力する入力手段と、この入力手段によって入力された抽出情報に対応する識別情報を有する紙葉類を保管した保管容器を前記記憶手段の記憶情報に基づいて特定する特定手段とを具備することを特徴とする。
【発明の効果】
【０００８】
本発明によれば、抽出すべき紙葉類が保管された保管箱を特定することができ、抽出作業が極めて容易になる。
【発明を実施するための最良の形態】
【０００９】
以下、図面に示す実施の形態を参照して本発明を詳細に説明する。  
【実施例１】
【００１０】
図１は本発明の実施例１による紙葉類処理システムを示す構成図で、図２はそのブロック図である。
【００１１】
紙葉類処理システムは紙葉類整理機１と、操作部４１と、外部読取手段としての外部バーコードリーダ４２とによって構成されている。
【００１２】
紙葉類整理機１は、紙葉類としての紙幣、或いはカジノチケット（以下、チケットという）などを処理するものであるが、この実施の形態ではチケットを処理する場合について説明する。
【００１３】
紙葉類整理機１は装置本体１ａを有し、この装置本体１ａの一側部側にはチケットＰを投入させる投入部２が設けられている。この投入部２には投入される複数枚のチケットＰを立位状態で載置する載置トレイ３が設けられている。この載置トレイ３にはチケットＰを押出す押出プレート５が設けられ、この押出プレート５はバネ材６によって弾性的に付勢されている。チケットＰの押出方向にはチケットＰを取り込むための取込部８が設けられている。取込部８はピックアップローラ９、取出ローラ１０、及び分離ローラ７を有して構成されている。
【００１４】
取出ローラ１０によって取り出されるチケットＰは第１の搬送経路（搬送手段）１１に沿って搬送される。この第１の搬送経路１１は複数個のローラ１２と、これらローラ１２に掛け渡された搬送ベルト１３，１３とによって構成されている。この第１の搬送経路１１の搬出側には、チケットＰの種類、表裏、真偽等を識別する鑑査手段としての鑑査部１５が設けられている。鑑査部１５の搬出側にはチケットＰに記載されたバーコード４９を読み取る読取手段としてのバーコードリーダ４０が設けられている。なお、チケットＰにはそのバーコードに対応する番号もプリントされている。
【００１５】
バーコードリーダ４０の搬出側には正しいチケットＰを第１の方向、リジェクトすべきチケットを第２の方向に切り替える第１の切替ゲートＧ１が設けられている。第２の方向に送られるチケットは、リジェクト庫１６に回収されるようになっている。第１の切替ゲートＧ１によって切り替えられる第１の方向には第２の切替ゲートＧ２が設けられている。この第２の切替ゲートＧ２によってチケットＰの搬送方向が第３及び第４の方向に切り替えられる。第３の方向には表向きのチケットを搬送する第２の搬送経路１８が設けられ、第４の方向には裏向きのチケットを搬送して反転部１９で反転させる第３の搬送経路２１が設けられている。
【００１６】
第２の搬送経路１８と第３の搬送経路２１とは合流部２３で合流され、合流部２３のチケット搬出側には第３の切替ゲートＧ３が設けられている。第３の切替ゲートＧ３はチケットの搬送方向を結束部２５側及び集積部２６側へ切り替えるものである。集積部２６には複数個の集積庫２８ａ〜３３ａが水平方向に配設されている。複数個の集積庫２８ａ〜３３ａの下部側には集積チケットを収納させるカセット２８ｂ〜３３ｂが配設されている。また、複数個の集積庫２８ａ〜３３ａの上部側にはチケットをその種類毎に集積庫２８ａ〜３３ａへ案内する第５乃至第９の切替ゲートＧ５〜Ｇ９が配設されている。
【００１７】
なお、結束部２５は紙幣処理時に用いられるものであり、この結束部２５には集積庫３５が設けられ、この集積庫３５の下部側には集積庫３５に集積された紙幣を結束位置３７へ搬送する搬送機構３９が設けられている。結束位置３７の近傍には結束テープを供給する供給リール３８が設けられている。
【００１８】
図３は操作部４１の構成を示すブロック図である。
【００１９】
操作部４１は入力手段としての入力部４５、表示部４６、記憶手段としての記憶部４７及び特定手段としての制御部４８を備えて構成されている。
【００２０】
記憶部４７には紙葉類整理機１内の鑑査部１５が送信回路を介して接続されている。鑑査部１５では鑑査したチケットが収納されるべきカセットを決定するが、この決定されたカセット情報は記憶部４７に送信されて記憶されるようになっている。
【００２１】
また、記憶部４７には上記した紙葉類整理機１内のバーコードリーダ４０が送信回路を介して接続されている。バーコードリーダ４０で読み取られたバーコード情報及びその読取順番は記憶部４７に送信されて記憶されるようになっている。
【００２２】
さらに、記憶部４７には上記した外部バーコードリーダ４２が送信回路を介して接続されている。外部バーコードリーダ４２は図１に示すように例えば保管箱（保管容器）５０のバーコード５１を読取り、その読取情報を記憶部４７に送信するようになっている。
【００２３】
記憶部４７では、チケットＰのバーコード情報と、このチケットが収納されるカセットの情報と、このカセットから取り出されたチケットを保管する保管箱の識別情報を関連付けて記憶保持するようになっている。また、記憶部４７では、カセットに収納されるチケットの配列情報も記憶される。
【００２４】
次に、上記した紙葉類処理システムの処理動作について図４のフローチャートを参照して説明する。
【００２５】
カジノのスロットマシンなどから回収されるチケットＰは図１に示す紙葉類整理機１の投入部２の載置トレイ３上に立位状態で載置される。このチケットＰは、取込部８のピックアップローラ９、取出ローラ１０、及び分離ローラ７の回転により一枚ずつ取込まれて供給搬送される（ステップＳＴ１）。このチケットＰは第１の搬送経路１１を介して鑑査部１５へ送られて鑑査される。この鑑査に基づいてチケットＰの正誤が識別されるとともに、正しいと識別されたチケットを収納すべきカセット２８ｂ（〜３３ｂ）が決定される。この決定されたカセットの情報は送信回路を介して操作部４１の記憶部４７に送信されて記憶される。鑑査部１５を通過したチケットＰはバーコードリーダ４０でそのバーコードが読み取られ（ステップＳＴ２）、その読取情報と読取順番が送信回路を介して操作部４１の記憶処理部４７に送信されて記憶される（ステップＳＴ３）。
【００２６】
鑑査部１５でリジェクトすべきものであると識別されたチケットは第１の切替ゲートＧ１を介してリジェクト庫１６へリジェクトされる。鑑査部１５で正しいチケットと識別され、かつ反転する必要ないと識別されたチケットは第２の切替ゲートＧ２を介して第２の搬送経路１８へ送られて搬送される。鑑査部１５で正しいチケットと識別され、かつ反転する必要があると識別されたチケットは第２の切替ゲートＧ２を介して第３の搬送経路２１へ送られて反転されて搬送される。これらチケットは合流部２３を通過して第３の切替ゲートＧ３へ向かって搬送される。第３の切替ゲートＧ３の切替動作によってチケットは集積部２６の方向に搬送され、切替ゲートＧ５〜Ｇ９の切替動作によりそのチケットの種類に応じた集積庫２８ａ〜３３ａに区分集積される。集積庫２８ａ〜３３ａにチケットが所定枚数集積されると、図示しない押込機構によって集積チケットはカッセト２８ｂ〜３３ｂ内に押し込まれて収納される。
【００２７】
カッセト２８ｂ〜３３ｂの一つ、例えば、カセット２８ｂが満杯になると、操作部４１の指令に基づいてカセット２８ｂが外部に取り出される（ステップＳＴ４）。この取り出されたカセット２８ｂは操作部４１の記憶部４７に記憶される（ステップＳＴ５）。オペレータはこの取り出されたカセット２８ｂからチケットを抜き出し（ステップＳＴ６）、その順番を崩さないようにして保管箱５０に保管する（ステップＳＴ７）。
【００２８】
そして、この保管箱５０のバーコード５１を外部バーコードリーダ４２によって読み取る（ステップＳＴ８）。この読取情報は操作部４１の記憶部４７にカセットの取出情報と関連付けられて記憶される（ステップＳＴ９）。
【００２９】
また、例えば、カセット２９ｂでチケットが満杯になった場合には、上記したカセット２８ｂの場合と同様にしてカセット２９ｂからチケットを取り出して他の異なる保管箱に保管する。
【００３０】
ところで、複数の保管箱に保管されたチケットには、例えば、不正に使用されたチケットなどが混入していることがある。この不正チケットを確認するため、その抽出作業が頻繁に行なわれている。
【００３１】
この不正に使用されたチケットの番号は、スロットマシンから送信される情報に基づいて上位のコンピュータによって判別されるようになっている。
【００３２】
次に、この不正チケットの抽出動作を図５のフローチャートを参照して説明する。
【００３３】
まず、オペレータは、上位のコンピュータによって判別された不正チケットの番号を操作部４１の入力部４５によって入力する（ステップＳＴ２１）。この入力に基づいて制御部４８により、入力された番号に対応するチケットが収納されたカセットを記憶部４７から割り出す。そして、この割り出されたカセットから抜き出されて保管された保管箱を検索し、その番号、及び処理した日付、さらに、先頭から何枚目にあるかなどの情報を表示部４６に表示する（ステップＳＴ２２）。オペレータはこの表示部４６に表示された番号を見て、この表示された番号に対応する保管箱を探し出し（ステップＳＴ２３）、この探し出した保管箱からチケットを抜き出す。ついで、この抜き出したチケットから不正チケットを整理機１を利用して抽出するか否かを判断する（ステップＳＴ２４）。整理機１を利用する場合には、抜き出したチケットを整理機１に投入して再処理して抽出する。この抽出されたチケットは指定された集積庫、例えば、集積庫２８ａに収納されるとともに、チケットが抽出されたことが表示部４６に表示される（ステップＳＴ２５）。また、ステップＳＴ２４で整理機１を利用しないと判断した場合には、マニアルで不正チケットを探し出して抽出する（ステップＳＴ２６）。表示部４６には、不正チケットが保管箱の何枚目に入っているかが表示されているため、オペレータはマニアルで不正チケットを容易に探し出して抽出することができる。
【００３４】
なお、保管箱の何枚目に不正チケットが入っているのかが分かるため、そのチケットが存在しそうな部分のチケットを複数枚塊で取り出して、この取り出した塊を整理機１に投入して処理し抽出するようにしてもよい。これによれば、より一層抽出時間を短縮することが可能になる。
【００３５】
上記したように、実施例１によれば、任意に指定されたチケットを探し出す場合、該当するチケットの番号を操作部４１の入力部４５で入力して検索することで、どの保管箱に入っているかを特定できる。
【００３６】
従って、従来のように、全ての保管箱からチケットを抜き出して再処理することなく、特定された保管箱のチケットのみを抜き出して整理機１で再処理でき、指定されたチケットの抽出作業が容易になる。
【００３７】
また、指定されたチケットは特定された保管箱の何番目に保管されているかが分かるため、マニュアルで抽出することもできるし、該当しそうなチケットを複数枚抜き出して整理機１で再処理することにより、より一層容易に抽出することができる。
【００３８】
なお、保管箱に識別情報としてのバーコードを設けることなく、保管箱のシリアル番号を入力することにより、チケットとの関連付けを管理するようにしても良い。
【００３９】
また、カジノチケット以外にも、管理すべきカードであって、そのカードごとに組み込まれている、識別情報（磁気、ＩＣデータ、２次元ばーコード等）があれば同様な方法で管理することが可能である。
【実施例２】
【００４０】
図６は本発明の実施例２による紙葉類処理システムを示すものである。
【００４１】
なお、上記した実施例１で示した部分と同一部分については、同一番号を付してその説明を省略する。
【００４２】
この実施例２では、カセット２８ｂ〜３３ｂにも識別情報としてのバーコード５５を付与し、このバーコード５５を外置きの外部バーコードリーダ４２によって読み取る。この外部バーコードリーダ４２によって読み取られたバーコード情報は操作部４１の記憶部４７に送信されて記憶される。このバーコード５５が読み取られた例えばカセット２８ｂのチケットは、カセット２８ｂから抜き取られて例えば、保管箱５０に保管される。そして、このチケットを保管した保管箱５０の識別情報としてのバーコード５１を外部バーコードリーダ４２によって読み取る。この外部バーコードリーダ４２によって読み取られたバーコード情報は操作部４１の記憶部４７に送信されて記憶される。記憶部４７では、カセット２８ｂと保管箱５０のバーコード情報が関係付けられて保存される。
【００４３】
この実施例２によれば、カセットにもバーコード等の識別情報を付与するため、カセットを抜かない構造の整理機や、複数のカセットを抜く構造の整理機の場合などであっても、指定したチケットがどの保管箱に保管されているかを判別することが可能となる。
【実施例３】
【００４４】
上記した実施例１では、カセットに収納するチケットは全て同じ向きで収納したが、実施例３では、カセット内にチケットを任意の指定枚数で表裏反転させて収納する。
【００４５】
例えば、整理機１の反転部１９を利用することにより、図７に示すようにチケットをカセット内に９５枚は表向きで集積し、９６枚〜１００枚は裏向きで集積し、１０１枚〜１９５枚は表向きで集積し、１９６枚〜２００枚は裏向きで集積するという方法で、カセット満杯（２０００枚）までこの順番で集積する。
【００４６】
これによれば、例えば、１６７番目に指定されたチケットがあることが分かれば、整理機１で再処理して抽出しなくても、指定されたチケットを保管箱からマニアルで容易に抽出できる。
【００４７】
また、カセット内に所定枚数ずつ、例えば図８に示すように５０枚ずつ、或いは、図９に示すように１００枚ずつ表裏を換えて収納するようにしても同様な作用効果を得ることができる。
【００４８】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００４９】
【図１】本発明の実施例１による紙葉類処理システムを示す構成図。
【図２】図１の紙葉類処理システムの構成を示すブロック図。
【図３】図１の紙葉類処理システムの操作部の構成を示すブロック図。
【図４】図１の紙葉類処理システムの処理動作を示すフローチャート図。
【図５】図１の紙葉類処理システムのチケット抽出動作を示すフローチャート図。
【図６】本発明の実施例２による紙葉類処理システムを示す構成図。
【図７】本発明の実施例３によるカセット内へのチケットの第１の集積方法を示す図。
【図８】本発明の実施例３によるカセット内へのチケットの第２の集積方法を示す図。
【図９】本発明の実施例３によるカセット内へのチケットの第３の集積方法を示す図。
【符号の説明】
【００５０】
Ｐ…チケット（紙葉類）、１１…搬送経路（搬送手段）、１５…鑑査部（鑑査手段）、２８ｂ〜３３ｂ…カセット、４０…バーコードリーダ（読取手段）、４２…バーコードリーダ（外部読取手段）、４５…入力部（入力手段）、４７…記憶部（記憶手段）、４８…制御部（特定手段）、４９…バーコード（識別情報）、５０…保管箱（保管容器）、５５…バーコード（識別情報）。
【図１】
2007200149.tif 000003
【図２】
2007200149.tif 000004
【図３】
2007200149.tif 000005
【図４】
2007200149.tif 000006
【図５】
2007200149.tif 000007
【図６】
2007200149.tif 000008
【図７】
2007200149.tif 000009
【図８】
2007200149.tif 000010
【図９】
2007200149.tif 000011